(57)【特許請求の範囲】
【請求項１】
別体の可撓性タング（３１）を含む係止システムを備えたフロアパネル（１、１’）の組であって、前記可撓性タング（３１）は、フロアパネルの縁部（４ａ、４ｂ）を同様のパネルの隣接した縁部に対して垂直方向で連結するため、フロアパネルの縁部に組込まれている、フロアパネルの組において、
前記可撓性タング（３１）の少なくとも一部が、本質的に水平方向に及び初期位置から最終外方位置まで本質的に一方向だけに変位するように形成されており、
前記タングは、フロアパネルの係止中、接合部に沿ってかつ前記タングの長手方向に沿って、捩じられるように形成され、
前記フロアパネルには、これらのフロアパネルと一体化されており且つ隣接した縁部に連結されるように形成された第１及び第２のコネクタ（９、１０、６、８、１４、２０、３１）が設けられており、
第１コネクタは、隣接した縁部を、これらの隣接した縁部に対して垂直な水平方向Ｄ２で連結するため、フロアパネルの縁部に設けられた、上方に差し向けられた係止エレメント（８）を持つ係止ストリップ（６）と、別のフロアパネルの隣接した縁部に設けられた下方に開放した係止溝（１４）とを含み、
第２コネクタは、前記隣接した縁部を垂直方向Ｄ１で連結するため、フロアパネルの縁部に設けられた可撓性タング（３１）と、別のフロアパネルの隣接した縁部に設けられた水平方向に開放したタング溝（９、２０）とを含み、
前記コネクタは、傾け又は垂直方向移動によって係止されるように形成されており、
前記可撓性タング（３１）の係止部分（１９）が、初期内方位置において、パネルの縁部に設けられた変位溝（４０）内に配置されており、
前記係止部分は、別の隣接したパネルのタング溝（２０）内で、本質的に水平方向に、及び初期位置から最終外方位置まで本質的に一方向だけに変位するように形成されている、ことを特徴とするフロアパネルの組。
【請求項２】
請求項１に記載のフロアパネルの組において、
前記可撓性タング（３１）は、縁部に沿ってフロアパネルを傾けることにより、この縁部近傍において、前記係止部分（１９）を変位させるように形成されている、ことを特徴とするフロアパネルの組。
【請求項３】
請求項２に記載のフロアパネルの組において、
前記可撓性タング（３１）はニージョイント（１５）を有し、このニージョイントからプレス延長部（１７）が本質的に水平方向に延びており、係止延長部（１６）が本質的に垂直方向上方に延びており、係止部分（１９）が前記係止延長部（１６）の上方の上部分に設けられている、ことを特徴とするフロアパネルの組。
【請求項４】
請求項３に記載のフロアパネルの組において、
前記可撓性タング（３１）は、パネルの隣接した縁部を垂直方向に前記プレス延長部（１６）に押し付けることにより、前記係止部分を変位させるように形成されている、ことを特徴とするフロアパネルの組。
【発明の詳細な説明】
【技術分野】
【０００１】
本発明は、全体として、設置を容易にできる別体の可撓性タングを含む機械式係止システムを持つフロアパネルの分野に関する。本発明は、建物用パネル、特にフロアパネル用の新規な改良された係止システム及びその設置方法を提供する。
【背景技術】
【０００２】
本発明は、詳細には、しかし非限定的には、長縁部及び短縁部を持つ矩形のフロアパネル用の機械式係止システムに関する。長縁部及び短縁部という用語は、説明を簡単にするために使用されるに過ぎないということを強調しなければならない。パネルは正方形であってもよく、四つ以上の縁部を備えていてもよく、隣接した縁部は９０°以外の角度をなしていてもよい。しかしながら、本発明は、一般的な建物用パネルにも適用できる。更に詳細には、本発明は、パネルの四つの縁部全てを一回の傾け作用によって他のパネルに係止できる、建物用パネルの設置を容易にする可撓性タング及び／又は変位自在のタング及び／又は回転タングを含む機械式係止システムの種類に関する。
【０００３】
この種のフロアパネルは、ＷＯ２００６／０４３８９３に記載されている。この文献には、水平方向係止を行うために係止溝と協働する係止エレメント、及びタング溝と協働する可撓性タングを含む、係止システムを持つフロアパネルが開示されている。可撓性タングは、フロアパネルの連結中、水平平面内で湾曲し、パネルを水平方向重ねによって、又は垂直方向移動だけで設置できる。「垂直方向重ね」という用語は、第１及び第２のパネルが連結状態にあり、「重ねパネル」と呼ぶ新たなパネルの二つの垂直な縁部を、一回の傾け作用によって第１及び第２のパネルに同時に連結する、三枚のパネルの連結を意味する。このような連結は、例えば、第１列の第１パネルの長縁部が第２列の第２パネルの長縁部に既に連結されている場合に行われる。次いで、新たな重ねパネルを第１列の第１パネルの長縁部に傾けによって連結する。この特定の種類の傾け作用は、更に、新たな重ねパネルの短縁部と第２パネルとを連結し、「垂直方向重ね」と呼ばれる。短縁部は、全体として、「ストリップパネル」に係止エレメントが設けられたストリップと、重ねパネルの下部分に設けられた、ストリップパネルの係止エレメントと協働する係止溝とによって水平方向で連結される。別のパネルに対する垂直方向移動だけでパネル全体を下ろすことによって二枚のパネルを連結することもできる。この特定の種類の係止を「垂直方向係止」と呼ぶ。
【０００４】
更に、同様のフロアパネルがＷＯ２００３／０１６６５４に記載されている。この文献には、可撓性タブを備えたタングを含む係止システムが開示されている。タングは、本質的に垂直方向に延び且つ曲がり、タブの先端は垂直方向に係止するため、タング溝と協働する。
【０００５】
この種の垂直方向係止及び垂直方向重ねは、長縁部の傾け中に二回の作用で可撓性タング又はタングの可撓性部分が水平方向に変位するとき、短縁部のところに分離圧力が発生する。タングの部分は、係止の初期部分中に内方に変位し、これらの部分は、その後、係止作用の最終部分中に初期位置に向かって変位する。本発明者は、幾つかの種類のフロアパネルを分析し、設置中に短縁部が互いから押し離され、短縁部の縁部部分間に隙間が生じる大きな危険があるということを発見した。このような隙間は、それ以上の設置を妨げ、フロアパネルを連結できない。更に、短縁部の係止システムに重大な損傷を生じる場合がある。設置中にフロアボードを短縁部に向かって側方に押すことにより、隙間をなくすことができる。しかしながら、このような設置方法は複雑であり、使用が困難である。これは、以下に説明するように、三つの作用を組み合わせ、長縁部の下方への傾けと関連して同時に使用しなければならないためである。
【０００６】
ａ）新たなフロアパネルの縁部を、フロアに設置した第１フロアパネルと接触させ、新たなパネルの長縁部を角度をなした状態で第１パネルに向かって前方に押圧しなければならず、
ｂ）タングにより及ぼされる力に抗する作用を及ぼすため、新たなパネルを、上方に傾けられた状態で側方に変位し、フロアパネルに設置した第２パネルの短縁部に押し付けなければならず、
ｃ）最終的に新たなパネルをフロアに向かって倒し、この際、前方及び側方への圧力を維持しなければならない。
【０００７】
本発明者は、このような分離及び設置の問題点は、パネルの厚さが小さく、小さくコンパクトな係止システムが長縁部に設けられている場合、又はパネルのコアが高密度ファイバボード（ＨＤＦ）等の表面の滑らかな材料で形成されている場合に生じるということを発見した。更に、こうした問題点は、パネルが短い場合、又は各列の最初のパネル又は最後のパネルの設置と関連して生じる。これは、こうした設置が、一般的には、フロアを壁の位置に合わせるために比較的小さい長さに合わせて切断したパネルで行われるためである。勿論、分離の問題点は、垂直方向重ね中に大きな水平方向分離圧力を発生する強い可撓性タングを持つ係止システムを使用する任意の種類のパネルを取り扱う上で、極めて困難である。このような強いタングは、高品質の垂直方向連結を必要とする多くの用途で非常に重要であり、このような可撓性タングを持つパネルは、周知の設置方法では設置が非常に困難である。
【先行技術文献】
【特許文献】
【０００８】
【特許文献１】ＷＯ２００６／０４３８９３
【特許文献２】ＷＯ２００３／０１６６５４
【発明の概要】
【発明が解決しようとする課題】
【０００９】
本発明は、長縁部の垂直方向重ね、又は垂直方向係止、又は傾けだけで設置されるようになったフローリングにおける分離の問題点を解決することを目的とする。
【００１０】
周知の技術による垂直方向重ねは、パネルを傾けて倒すときにこれらのパネルを垂直方向で係止する。これらのパネルは、係止解除を行うことができる。これは、係止システムに特殊な工具を挿入することにより行うことができる。更に、列全体を傾けて起こし、パネルを互いから連結解除することができる。個々のパネルの係止及び係止解除を容易な方法で、好ましくは簡単な逆方向傾け作用によって行うことができるのが有利である。損傷したパネル又は設置が正しく行われなかったパネルの調節、交換、又は再設置を行うことができる。
【００１１】
従って、本発明の別の目的は、垂直方向重ね後に垂直方向では連結されず、簡単な逆方向傾けにより解放できる新たな係止システムにより、この問題点に対する解決策を提供することである。
【００１２】
周知の技術による垂直方向重ねは、パネルを傾けて倒すとき、係止システムの幾つかの部分を曲げ、圧縮し、又は変位することを必要とする。これは抵抗を発生する。この抵抗は、設置中における問題点である。本発明の第３の目的は、垂直方向重ね中に垂直方向で係止する部分が生じる全ての種類の抵抗を、好ましくは、大幅に減少するか或いは完全になくす、このような抵抗をできるだけなくす解決策を提供することである。
【００１３】
フロアボードは、種類が異なると、必要とされる係止上の解決策が異なる。ＨＤＦ製のコアを持つ５ｍｍ乃至８ｍｍの薄い積層体フローリングに適合した係止システムは、必ずしも、例えば厚さが１４ｍｍ乃至２５ｍｍの様々な種類及び品質の木製コアを持つ厚い木製フローリングの係止には使用できない。第４の目的は、広範な様々な種類のフロア及び様々な大きさの同じ種類のフロアに適した解決策を提供することである。
【課題を解決するための手段】
【００１４】
幾つかの用語の定義
本明細書中下文において、設置したフロアパネルの見える方の表面を「前面」と呼び、下張り床に面するフロアパネルの反対側を「後面」と呼ぶ。前面と後面との間の縁部を「接合縁」と呼ぶ。特に定義されていない限り、上方及び下方というのは、前面に向かって、及び後面に向かってということを意味する。内方及び外方というのは、パネルの中心に向かう方向で、又はパネルの中心から遠ざかる方向でということを意味する。「水平平面」という用語は、表面層の外方部分と平行に延びる平面を意味する。互いに接合された二枚のフロアパネルの二つの隣接した接合縁のぴったりと並置された上部分が、水平平面に対して垂直な「垂直平面」を構成する。「水平方向で」という用語は、水平平面と平行であることを意味し、「垂直方向で」という用語は、垂直平面と平行であることを意味する。
【００１５】
「接合部」又は「係止システム」は、フロアパネルを垂直方向で及び／又は水平方向で連結する協働連結手段を意味する。「機械式係止システム」は、接合を接着剤なしで行うことができるということを意味する。機械式係止システムは、多くの場合において、接着剤と組み合わせてもよい。「と一体の」は、パネルと一部品をなして形成されている、又は工場でパネルに連結されているということを意味する。「別体の」部分、構成要素、エレメント、等は、これらが別々に製造され、パネルのコア又は主本体と一部品をなしていないということを意味する。別体の部分は、一般的には、工場で連結され、パネルと一体化されるが、パネルの設置中に使用されるようになった、ばらで提供される部分として供給されてもよい。
【００１６】
「可撓性タング」は、少なくとも幾つかの可撓性部分を持ち、接合縁に沿って長さ方向を有し、垂直方向係止システムの部分を形成する、別体のタングを意味する。例えばタング全体を曲げることができてもよいし、曲げたり圧縮したりでき、ばね作用でその初期位置まで又は初期位置に向かって少なくとも部分的に戻ることができる、可撓性で弾性の部分を備えていてもよい。可撓性により、係止中、タングを少なくとも部分的に水平方向に変位させることができる。可撓性タングは、本願では、広範に使用される。これは、周知の実施例の多くが、少なくとも幾つかの可撓性部分を有するためである。本発明は、本質的に又は部分的に剛性材料で形成された可撓性タングを除外しない。
【００１７】
「変位自在のタング」は、隣接した縁部を垂直方向で連結する、別体の材料で形成された、フロアパネルに連結された、全体が又は一部が非係止位置と係止位置との間で変位自在の、任意の種類のタングを意味する。変位自在のタングは、可撓性であってもよいし、剛性であってもよい。
【００１８】
「タング」は、垂直方向変位を阻止する、縁部区分の任意の部分を意味する。
【００１９】
「傾け」は、旋回移動によって行われる連結を意味する。旋回移動中、連結又は連結解除が行われる二つの部分間で角度変化が発生する。二枚のフロアパネルの連結と関連して傾けが行われる場合、角度移動は、接合縁の上部分で、これらが互いに少なくとも部分的に接触した状態で、移動の少なくとも部分中に生じる。
【００２０】
「傾け係止システム」は、傾けにより垂直方向及び垂直方向で連結できる、タング及び溝を含む、二つの隣接した縁部を垂直方向で係止する機械式係止システムを意味する。パネルの一つの縁部に係止エレメントが設けられた係止ストリップは、「ストリップパネル」と呼ばれ、「溝パネル」と呼ばれるパネルの別の縁部に設けられた係止溝と協働し、これらの縁部を水平方向で係止する。係止エレメント及び係止溝は、係止エレメントを係止溝内に案内する全体に丸みを付けたガイド面と、係止により縁部間の水平方向分離を阻止する係止面とを有する。
【００２１】
垂直方向重ねは、長縁部に設けられた傾け係止システム及び短縁部に設けられた垂直方向係止システムの単なる組み合わせではない。これは、垂直方向作用及び傾け作用を組み合わせ、短縁部を鋏と同様に互いに重ねるためである。係止は、一つの長縁部と隣接した一方の縁部区分から、他方の反対側の長縁部と隣接した他方の縁部区分まで徐々に行われる。二つの隣接した縁部のこのような係止を「重ね係止」と定義する。
【００２２】
「垂直方向重ね」は、三枚のパネルの係止であり、長縁部の傾け及び短縁部の重ねの組み合わせを使用する。「垂直平面に沿った垂直平面重ね」は、縁部が互いに係止するまで全体を重ねる作用中に二つの短縁部の上縁が本質的に接触した状態で行われる垂直平面重ねを意味する。
【００２３】
本発明は、一組の建物用パネル、特に、機械式係止システムを持つフロアパネルに関し、又は  ローティングフローリングに関する。機械式係止システムの短縁部には、別体の変位自在のタングが設けられている。このタングは、フロアパネルの設置及び垂直方向重ね又は傾けで設置したフロアパネルの連結解除を改善するように形成されており、設置中の短縁部の分離に抗し、又はこれを阻止する。
【００２４】
本発明は、このような分離の問題が、重ね係止における別体の変位自在のタングと関連しているという第１の基本的な理解に基づく。変位自在のタングは、垂直方向重ね中にタング溝に向かって水平方向にポンと戻るため、変位溝に押し込まれなければならない。本発明の目的は、隣接した縁部の垂直方向移動又は傾けによって係止できる、設置中の変位自在のタングの変位溝内への内方への変位が大幅に減少され又は完全になくされるため、垂直方向移動又は傾け中の変位自在のタングの分離力を大幅に減少し、又は好ましくはなくす係止システムを提供することである。
【００２５】
本発明は、夫々の利点を提供する様々な特徴による、短縁部の係止システムの新たな実施例を提供する。本発明が有用な分野は、壁パネル、天井、外部用途、及び任意の形状及び例えば積層体等の材料でできたフロアパネルであり、詳細には、熱硬化性樹脂、木材、ＨＤＦ、ベニヤ、又は石材を含む表面材料を備えたパネルである。
【００２６】
本発明は、第１の基本的原理によれば、フロアパネルの縁部に組込まれた変位自在のタングを含み、これにより、この縁部を同様のパネルの隣接した縁部に垂直方向で連結する、係止システムを備えた一組のフロアパネルを含む。変位自在のタングは、本質的に水平方向に、及び本質的に一方向に、初期位置から、タング溝内の最終的外係止位置への方向にだけ変位するように形成されている。
【００２７】
本発明は、第１実施例によれば、本質的に同じフロアパネルの組において、これらのフロアパネルには、フロアパネルと一体化されており且つ隣接した縁部に連結されるように形成された第１及び第２のコネクタが設けられている。第１コネクタは、隣接した縁部を、これらの隣接した縁部に対して垂直な水平方向で連結するため、一方のフロアパネルの縁部に設けられた、上方に差し向けられた係止エレメントを持つ係止ストリップと、別のフロアパネルの隣接した縁部に設けられた下方に開放した係止溝とを含み、第２コネクタは、隣接した縁部を垂直方向で連結するため、フロアパネルの縁部に設けられた変位自在のタングと、別のフロアパネルの隣接した縁部に設けられた水平方向に開放したタング溝とを含み、コネクタは、傾け又は垂直方向移動によって係止されるように形成されている。可撓性タングの係止部分が、初期内方位置において、パネルの縁部に設けられた変位溝内に配置されている。係止部分は、タング溝内で、本質的に水平方向に、及び初期位置から最終外方係止位置まで本質的に一方向にだけ変位するように形成されている。
【００２８】
周知の技術に対する一つの本質的な相違は、タングの少なくとも一部が、縁部に工場で連結された初期非係止位置から、縁部を垂直方向で係止する係止位置まで本質的に一方向にしか変位されないということである。係止は、先ず最初に周知の可撓性タング及び変位自在のタングを変位溝内に内方に変位し、次いで外方にタング溝内に変位する、「一回のスナップ作用」又は「一回の変位作用」で行われる。幾つかの場合では、例えばタング溝の一部に対して予備張力が加わった状態で係止を行う場合、第１変位は第２変位よりも大きい。このような係止は、「二回作用(double action) スナップ」である。一回のスナップ作用又は一回の変位作用の主な利点は、例えば係止中及び設置中に短縁部を押し離す分離力なしで係止を行うことができるということである。
【００２９】
「本質的に一方向にしか」という表現は、幾つかの二回作用実施例が本発明に含まれ、変位溝内への第１変位が、タング溝内への第２変位よりも本質的に小さい場合が除外されないということを意味する。第１変位は、例えば、内非係止位置からの変位自在のタングの解放に使用してもよいし、又は非係止位置又は部分係止位置への変位の一部を行うためにだけ使用してもよい。
【００３０】
第１の原理の第１の特徴によれば、本発明は、フロアパネルの縁部を同様のパネルの隣接した縁部に垂直方向で連結するため、別体の可撓性タングをフロアパネルの縁部と一体化した係止システムを含むフロアパネルの組を提供する。タングの一部は、本質的に水平方向に、及び初期位置から最終的外係止位置への方向にだけ変位するように形成されている。タングは、係止中、接合部に沿って捩じれるように形成されている。
【００３１】
第１の原理の一実施例によれば、本発明は、ニージョイント（ひざジョイント）を持つ可撓性タングを提供する。このニージョイントは、このニージョイントから本質的に水平方向に延びるプレス延長部と、ニージョイントから上方に本質的に垂直方向に延びる係止延長部とを有する。係止延長部は、ニージョイントの上方の上部分に係止部分を有する。係止部分は、タング第１及び第２のパネルの隣接した短縁部を、これらの短縁部が本質的に同じ壁内に位置決めされるまでプレス縁部に垂直方向に押し付けたとき、タング溝に係止する。
【００３２】
プレス縁部への垂直方向押し付けは、好ましくは、垂直方向重ねによって行われる。
【００３３】
第１の原理の第２の特徴によれば、別体の可撓性タングを含む係止システムを備えたフロアパネルの組であって、可撓性タングは、フロアパネルの縁部を同様のパネルの隣接した縁部に対して垂直方向で連結するため、フロアパネルの縁部と一体化されている、フロアパネルの組が提供される。可撓性タングは予備張力が加わった部分を含む。
【００３４】
第２の特徴の一実施例によれば、フロアパネルには、例えば、一回の作用で係止する別体の可撓性タングを持つ係止システムを備えた短縁部が設けられている。一方の短縁部を垂直方向に移動にさせることより、変位自在のタングの一部を、この変位自在のタングが変位溝に予備張力で連結された内方初期非係止位置から外方垂直方向係止位置まで本質的に一方向にスナップ嵌めする。予備張力の解放は、好ましくは、垂直方向重ねによって行われる。
【００３５】
第１の原理の第３の特徴によれば、別体の可撓性タングを含む係止システムを備えたフロアパネルの組であって、可撓性タングは、フロアパネルの縁部を同様のパネルの隣接した縁部に対して垂直方向で連結するため、フロアパネルの縁部と一体化されている、フロアパネルの組が提供される。タングの少なくとも一部が変位自在であり、タングの縁部区分に本質的に縁部に沿って側方への圧力を加えることによって係止が行われる。
【００３６】
この第３の特徴の一実施例によれば、本発明は、変位溝内で変位する変位自在のタングを含む。本発明は、変位自在のタングを、例えば第３パネルの長縁部によって、タングが工場で連結された初期非係止位置からタング溝内へ変位することを特徴とする。第３パネルは、第１及び第２のパネルに対して傾けられ、これらのパネルが本質的に同じ平面内に配置され且つそれらの短縁部が接触したとき、第１及び第２のパネルに対して連結される。
【００３７】
この第３の特徴により、連続した列の第３パネルが連結されるまで、パネルを垂直方向に係止解除できる。この場合も、垂直方向重ね及び傾けて倒したり起こしたりすることによる連結解除を簡単な方法で行うことができる。これは、抵抗を発生し、垂直方向で係止するタングがないためである。垂直方向係止は、先ず最初に、新たなパネル列を設置するときに開始される。これは、垂直方向係止を有する全ての周知の重ねシステムに対する主要な利点である。この原理による係止システムは、例えばパネルの短縁部に設けられた変位自在のタングにより提供できる。この変位自在のタングは、隣接した列のパネルの長縁部を、例えば傾けて起こすことによって解放したとき、初期非係止位置に戻る。これにより、フロア全体の連結解除を、個々のパネルの簡単な傾け作用で行うことができる。周知の技術のように、フロアの連結解除を行うために、列全体を傾けで連結解除することを必要としない。別の態様では、係止システムは、曲げ可能な部分は、タングとパネルとの間の摩擦により、又はタングの永久的な変形によって、第３パネルが取り外された場合でも、その外位置に止まるように形成されていてもよい。
【００３８】
これらの三つの基本的実施例は、全て、
ａ）プレス延長部を押圧すること、
ｂ）予備張力を解放すること、及び
ｃ）短縁部に設けられたタングを長縁部によって変位すること
によって変位が行われ、変位が、本質的に一方向でしか行われず、こうした変位を非常に限られた又は存在していない分離力のみで行うことができるという主要な原理に基づく。
【００３９】
上述の特徴を長縁部及び短縁部を持つパネルに関して説明した。これらのパネルは、縁部を四つ以上備えていてもよいし、正方形であってもよい。
【００４０】
第２の原理によれば、本発明は、例えば長縁部に傾け係止システムが設けられており且つ短縁部に変位自在のタングが設けられたフロアパネルの設置及び連結解除を行うための方法を提供する。この方法は、
１．第２列の第２パネル及び新たなパネルの長縁部を、第２列の第２パネル及び新たなパネルの短縁部が接触し且つ本質的同じ平面内にあるように、第１列の第１パネルの長縁部に連結する工程と、
２．第３列の第３パネルを第２パネル及び新たなパネルの長縁部に傾けで連結し、これによって、第２パネル又は新たなパネルの短縁部に設けられた変位自在のタングを、これらの短縁部が垂直方向及び水平方向で係止するようにタング溝内に変位する工程とを含む。
【００４１】
この第２の原理によれば、本発明は、例えば長縁部に傾け係止システムが設けられており且つフロアパネルを垂直方向で連結する変位自在のタングが短縁部に設けられたフロアパネルを連結解除するための方法を提供する。この方法は、
１．第３パネルを下張り床から遠ざかる方向に傾けて起こすことにより、第３列の第３パネルの長縁部を第２列の第２パネル及び新たなパネルの長縁部から連結解除し、変位自在のタング、及び第２列の新たなパネルと第２パネルとの間の垂直方向係止を連結解除する工程と、
２．新たなパネルを傾けて起こすことによって、新たなパネルを第１列の第１パネルの長縁部から、及び第２パネルの短縁部から連結解除する工程とを含む。
【００４２】
第３の原理によれば、本発明は、パネル、及び水平方向可撓性係止エレメント即ち変位自在の係止エレメントを備えた係止システムを提供する。係止システムにより、本明細書中に説明した、水平方向重ねについて使用されたのと同じ基本的原理に従って、パネルを互いに向かう水平方向変位によって本質的に共通の平面内で連結できる。係止エレメントを垂直方向に変位し、上リップ又は下リップの上部分又は下部分に配置された係止溝内に水平方向に係止する。垂直方向での係止は、好ましくは、タング及び溝によって行われるこの第３の原理を本明細書中に概略に説明する。これは、垂直方向係止に使用される全ての実施例及び原理を水平方向係止に使用できるためである。水平方向で協働する部分は、垂直方向等に合わせて調節しなければならないということは明らかである。
【００４３】
本発明の第２の目的は、パネルの垂直方向係止又は水平方向係止を行うためにタングの少なくとも一部の変位を必要とする、全ての種類の係止システムで使用できる別体の可撓性タングの新規な改良された実施例を提供することである。この目的は、周知の技術と比較して、係止機能及び係止強度を改良することである。
【００４４】
本発明は、長さ方向を持つ可撓性タングを提供する。長さ方向に延びる少なくとも一つの縁部が剛性である。可撓性タングは、圧縮でき且つ初期位置に向かってばね作用で戻る一つ又は幾つかの可撓性キャビティを長さ方向に有する。
【００４５】
本発明は、全ての種類のフローリングで有用であり、特に、例えば長縁部間の摩擦によって分離を阻止するのが困難なフローリング、又は周知のタングが大きな分離力を発生するフローリングで有用である。従って、本発明は、例えば長縁部に沿った摩擦が小さい、４０ｃｍ乃至１２０ｃｍの短いパネルに特に適している。本発明は、更に、幅が２０ｃｍよりも大きい広幅のパネルに適している。これは、周知の可撓性タングは長く、大きなタング圧力を発生するためである。更に、本発明は、係止システムの非常に滑らかで低摩擦の表面のため、摩擦が小さい、例えばＨＤＦ、コンパクトな積層体、又はプラスチック材料で形成されたコアを持つパネルに適している。本発明は、更に、例えば厚さが６ｍｍ乃至９ｍｍの薄いパネルで有用である。特に、長縁部にコンパクトな係止システムを備えたこのようなパネルは、例えば、６ｍｍよりも短い係止ストリップを備えている。このようなフロアパネル及びこのような係止システムは、接触面が小さく、摩擦が小さい。
【００４６】
上文中に説明した一つ又は幾つかの原理に従って形成されたフローリングシステムにより、幾つかの利点が得られる。第１の利点は、設置を簡単な方法で行うことができるということ、及びフロアボードが短縁部のところで分離しないようにするために設置中に側方への圧力を加える必要がないということである。第２の利点は、重ね中に係止システムに亀裂を生じることがある、縁部が分離する危険を大幅に減少するということである。第３の利点は、パネルを垂直方向で高い強度で係止できる、更に剛性であり且つ強固なタングで係止システムを形成できるということである。第４の利点は、係止及び係止解除を、容易に、信頼性が高い係止機能で行うことができるということである。
【００４７】
タングは、プラスチック材料で形成されていてもよく、例えば射出成形により製造できる。この製造方法により、様々な複雑な立体的形状を低価格で製造でき、可撓性タングを互いに連結してタングブランクを形成できる。タングは、押出し又は機械加工によって形成したプラスチック製又は金属製の形材で形成されていてもよく、これを例えば打ち抜きで更に賦形し、可撓性タングを形成できる。押出しの欠点は、追加の製造工程を必要とすることの他に、例えばファイバ等でタングを強化するのが困難又は不可能であるということである。しかしながら、、タングが本質的に矩形形状の断面を持つ場合には、押出しプラスチック形材は好ましい代替物である。可撓性タング又は変位自在のタングを形成する上で、例えばＨＤＦや圧縮積層体等の木材をベースとした材料又はシート状プラスチック材料を使用してもよい。
【００４８】
上文中に説明した性質を持つ、ＰＡ（ナイロン）、ＰＯＭ、ＰＣ、ＰＰ、ＰＥＴ、又はＰＥ等の任意の種類のポリマー材料を様々な実施例で使用できる。これらのプラスチック材料は、タング射出成形を使用した場合、例えばガラスファイバ、ケブラーファイバ、カーボンファイバ、又はタルクやチョークで強化できる。好ましい材料は、好ましくは極めて長いガラスファイバで強化したＰＰ又はＰＯＭである。
【００４９】
短縁部は、ニードル状工具を隅部区分からタング溝に挿入し、可撓性タングを変位溝内に押し戻すことによって、連結解除できる。次いで、他のパネルが下張り床上にある状態で一枚のパネルを傾けて起こすことができる。勿論、これらのパネルは、従来の方法で、傾けて起こすことによって、又は接合部に沿って変位することによっても連結解除できる。
【００５０】
エレメント、デバイス、構成要素、手段、工程、等に対する全ての言及は、特段の記載のない限り、このようなエレメント、デバイス、構成要素、手段、工程、等の少なくとも一例に言及するに過ぎない。
【００５１】
主に説明を簡単にするため、ストリップパネルに設けられた別体のタングに関してほぼ全ての実施例を説明する。別体のタングは、重ねパネルの縁部に配置できる。
【図面の簡単な説明】
【００５２】
【図１】図１ａ乃至図１ｄは、従来技術の係止システムを示す図である。
【図２】図２ａ及び図２ｂは、係止作用中の従来技術の可撓性タングを示す図である。
【図３】図３ａ及び図３ｂは、短縁部に従来技術の機械式係止システムを備えたフロアパネルを示す図である。
【図４】図４は、二枚のフロアパネルの短縁部を垂直方向重ねによって係止する従来技術の方法を示す図である。
【図５】図５ａ乃至図５ｄは、係止中に分離力を発生する短縁部係止システムの実施例を示す図である。
【図６】図６ａ乃至図６ｄは、本発明の第１の特徴による実施例を示す図である。
【図７】図７ａ、図７ｂ、及び図７ｃは、本発明の第１の特徴による可撓性タングの斜視図である。
【図８】図８ａ乃至図８ｄは、本発明の第２の特徴による実施例を示す図である。
【図９】図９ａ及び図９ｂは、本発明の第２の特徴の一実施例による変位自在のタングを示す図であり、図９ｃ乃至図９ｇは、本発明の第３の特徴による実施例を示す図である。
【図１０】図１０ａ乃至図１０ｄは、本発明の第３の特徴による実施例を示す図である。
【図１１】図１１ａ乃至図１１ｄは、本発明の第１及び第２の特徴による実施例を示す図であり、図１１ｅ、図１１ｆ、及び１１ｇは、パネルを水平方向スナップ嵌めで連結する上で、本発明の基本的原理を使用する例を示す図である。
【図１２】図１２ａ乃至図１２ｄは、本発明の一実施例の縁部区分を示す図である。
【図１３】図１３ａ乃至図１３ｆは、一つの好ましい実施例による可撓性タングを持つパネルの設置を示す図である。
【図１４】図１４ａ乃至図１４ｈは、可撓性タングの実施例を示す図である。
【図１５】図１５ａ乃至図１５ｆは、可撓性タング及び側方への圧力を発生する工具の実施例を示す図である。
【図１６】図１６ａ乃至図１６ｅは、タングの連結方法及び製造方法を示す図である。
【図１７】図１７ａ乃至図１７ｊは、変位自在のタングの実施例を示す図である。
【図１８】図１８ａ乃至図１８ｉは、可撓性で変位自在のタングの実施例を示す図である。
【図１９】図１９ａ乃至図１９ｅは、可撓性タングの実施例を示す図である。
【図２０】図２０ａ、図２０ｂ、及び図２０ｃは、可撓性タングの実施例を示す図である。
【図２１】図２１ａ乃至図２１ｄは、可撓性で変位自在のタングの実施例を示す図である。
【図２２】図２２ａ及び図２２ｂは、最後の列の設置を示す図である。
【図２３】図２３ａ、図２３ｂ、及び図２３ｃは、変位自在のタングの実施例を示す図である。
【図２４】図２４ａ乃至図２４ｄは、可撓性タングを持つ、曲げ原理によるパネルの設置を示す図である。
【図２５】図２５ａ及び図２５ｂは、剛性部分を持つ可撓性タングを示す図である。
【図２６】図２６ａ、図２６ｂ、及び図２６ｃは、縁部に沿った変位を阻止する手段により縁部に沿った変位を阻止する可撓性タングを示す図である。
【発明を実施するための形態】
【００５３】
図１乃至図４及びこれらの図と関連した以下の説明は、公開済の実施例を説明するものであり、これらを使用して本発明の主な原理を説明する。図示の実施例は、単なる例である。
【００５４】
機械式係止システム及び可撓性タング３０を備えた従来技術のフロアパネル１、１’を図１ａ乃至図１ｄを参照して説明する。
【００５５】
図１ａは、パネル１の短縁部接合縁４ａと、これと向き合った第２パネル１’の短縁部接合縁４ｂとの間の接合部の断面を概略に示す。
【００５６】
これらのパネルの前面は、本質的に、共通の水平平面ＨＰ内に位置決めされており、接合縁４ａ及び４ｂの上部分２１、４１は、垂直平面ＶＰで互いに当接する。機械式係止システムにより、これらのパネルを、互いに対し、垂直方向Ｄ１並びに水平方向Ｄ２で係止する。
【００５７】
二つの接合縁をＤ１方向及びＤ２方向で接合するため、フロアパネルの縁部には、それ自体周知の方法で、係止エレメント８を持つ係止ストリップ６が、下文において「ストリップパネル」と呼ぶ一方の接合縁に設けられている。係止エレメント８は、下文において「重ねパネル」と呼ぶ他方の接合縁に設けられた係止溝１４と協働し、水平方向係止を提供する。
【００５８】
従来技術の機械式係止システムは、一方の接合縁に形成された変位溝４０に固定される別体の可撓性タング３０を含む。可撓性タング３０は、変位溝４０に配置される溝部分Ｐ１及び変位溝４０の外側に突出する突出部分Ｐ２を有する。一方の接合縁に配置された可撓性タング３０の突出部分Ｐ２は、他方の接合縁に形成されたタング溝２０と協働する。
【００５９】
図３ａは、図３ｂによるパネルのＡ−Ａ断面を上方から見た図である。可撓性タング３０は、一方の縁部区分に摩擦連結部３６を有する。この摩擦連結部は、例えば、局所的な小さな垂直方向突出部として形成されていてもよい。この摩擦連結部は、工場で可撓性タングをフロアパネルと一体化した場合、可撓性タングを、設置中、製造中、包装中、及び輸送中、変位溝４０に保持する。
【００６０】
図２ａ及び図２ｂは、変位溝４０の底部に向かう第１変位後の可撓性タング２０の位置を示す。この変位は、本質的には、パネルを重ねることによって可撓性タング３０をその長さ方向で曲げることによって行われる。重ね中、このような曲げにより分離力が発生する。この分離力により、長縁部が摺動したり短縁部が分離したりする。
【００６１】
図４は、垂直方向重ねの一実施例を示す。第１列Ｒ１の第１パネル１’’が第２列Ｒ２の第２パネル１に連結されている。新たなパネル１’の長縁部５ａを第１パネル１’’の長縁部５ｂに向かって約２５°乃至３０°の通常の設置角度で移動し、隣接した縁部に押し付け、その長縁部５ａを第１パネルの長縁部５ｂに傾けによって連結する。この傾け作用は、更に、新たなパネル１’の短縁部４ｂを第２パネル１の短縁部接合縁４ａに連結する。重ねパネル１’を、垂直方向移動及び旋回移動の組み合わせにより、垂直平面ＶＰに沿って、及び第２パネル１及び新たなパネル１’の上縁部間を接触させた状態で、ストリップパネル１に係止する。
【００６２】
図５ａ、図５ｂ、及び図５ｃは、周知の技術に従って短縁部を係止するのに使用できる可撓性タング３０の周知の例を示す。図５ａは、可撓性スナップタブが下方に延びる状態でストリップパネルに設けられた別体のタング３０を示す。図５ｂは、可撓性スナップタブが変位溝４０内に設けられた別体のタングを示す。スナップタブは、上方に延びていてもよいし下方に延びていてもよく、ストリップパネルに設けられていてもよいし重ねパネルに設けられていてもよい。図５ｃは、図５ｄに示すように突出部６０が設けられた可撓性タング３０を示す。これらの突出部は、変位溝４０内に配置されていてもよいし、垂直平面からタング溝２０内に延びていてもよい。これらの実施例は全て、タングの可撓性部分を変位溝の底部に向かって内方に押圧したとき、分離圧力Ｐを発生する。これにより短縁部を分離してしまう場合があり、そのために係止システムが損傷したりパネルの設置が不可能になったりする。
【００６３】
図６ａ乃至図６ｄは、本発明の第１の特徴による係止システムを備えたパネルの実施例を示す。ストリップパネル１は係止エレメント８を備えた係止ストリップ６を有し、可撓性タング３１が変位溝４０に連結されている。可撓性タング３１は、ニージョイント１５を有し、プレス係止エレメント１８を含む下プレス延長部１７が垂直平面ＶＰから本質的に水平方向外方に延びている。ニージョイントは、更に、本質的に垂直方向に延びる係止延長部１６を有する。この係止延長部１６の上部分には係止部分１９が設けられている。重ねパネル１’は、係止エレメント８と協働してパネルを水平方向で係止する係止溝１４と、プレス係止溝１１とを有する。このプレス係止溝１１は、プレス係止エレメント１８と協働し、重ねパネル１’と変位自在の係止エレメント３１との間の水平方向変位を阻止する。重ねパネル１’は、更に、係止部分１９と協働し、パネル１、１’を垂直方向で係止するタング溝２０を有する。重ねパネル１’をストリップパネル１に向かって垂直方向下方に、本質的に垂直平面ＶＰに沿って図６ｂ及び図６ｃに示すように沿って移動したとき、プレス係止エレメント１８がプレス係止溝１１に係止し、プレス延長部１７が下方に曲げられる。最終的には、接合縁２１、４１の上部分が本質的に同じ垂直平面内にあるとき、係止部分１９がタング溝２０にスナップ嵌めし、水平方向重ね中に縁部を互いから遠ざかる方向に変位する水平方向圧力なしで、パネル１、１’が垂直方向Ｄ１及び水平方向Ｄ２で係止される。プレス延長部１７の曲げ及び可撓性タング３１の可撓性により、プレス延長部１７及び係止部分１９を係止中に互いから少なくとも僅かに分離できるという重要な特徴が得られ、これにより、上縁部が共通の平面で係止される高品質の係止を行うことができる。本発明による係止システムは、垂直方向スナップシステムである。タングは、垂直方向重ね中、長さ方向で捩じれる。傾けによって連結された長側部に近い縁部（図４の４ｂ１）は、垂直方向重ね中、図６ｃに示す位置をとり、他方の縁部（図４の４ｂ２）は、図６ａに示す位置をとる。プレス延長部１７の曲げは、タング３１の長さに沿って変化する。０．１ｍｍの数倍程度の小さな曲げであっても、係止機能及び品質を大幅に改善し、隙間即ち垂直方向遊隙を大幅に減少し、好ましくは除外する。
【００６４】
図７ａ、図７ｂ、及び図７ｃは可撓性タングを示す。図７ａは、例えば押出しによって形成されていてもよい可撓性タング３１を示す。図７ｂは、押出し及び機械的形成、例えば打ち抜きや切削の組み合わせによって製造できる実施例を示す。下延長部２２の可撓性及び捩じりを高めるため、下延長部２２の幾つかの部分が除去してある。このことは、プレス延長部１７の長さＬＰが可撓性タング３１に沿って変化するということを意味する。図７ｃは、射出成形によって形成した別の実施例を示す。係止延長部１６及びプレス延長部１８には穴２４、２３が設けられているか或いは断面が薄くなっており、これにより可撓性を高める。これは、変位自在のタングの長さ方向での捩じりを使用し、これらの部分を係止強度をそのままに更に曲げ易くできるためである。このことは、係止部分１９の厚さＴＬ、及び／又は係止延長部１６の厚さＴＥ、及び／又はプレス延長部１７の厚さＴＰを可撓性タング３１に沿って変化してもよいということを意味する。
【００６５】
本発明の主な原理内で幾つかの変更を行うことができる。プレス係止エレメント１８は、図１１ａ及び図１１ｆに示す実施例と同様に、ストリップ６の上部分に配置された係止溝１４’に係止するように、下方に延びる突出部１８’を備えていてもよい。大きな係止エレメント８を使用せずに水平方向係止を行ってもよい。これは、材料の無駄が少なくなるため、費用が低くなり、本発明を非常に薄いフローリング、例えば７ｍｍよりも薄い、非常に薄いフローリングで使用できる。プレス延長部１７は様々な長さであってもよく、図６ｄに破線で示すように、係止エレメント８の一部に亘って設けられていてもよいし、係止エレメント８の全体に亘って設けられていてもよい。
【００６６】
図８ａ乃至図８ｄは、本発明の第２の特徴による実施例を示す。可撓性タング３１は内係止解除位置及び外係止位置を有する。可撓性タング３１は、例えば可撓性タング部分５１による、可撓性タング３１を外方に押す予備張力により、変位溝内に固定されたその係止解除位置にある。可撓性タング３１に設けられた水平方向タングロック５２が変位溝４０に設けられた水平方向溝ロック５３と協働し、可撓性タング３１がその最終係止位置に向かってポンと外れることがないようにする。溝ロックは、様々な角度で形成されていてもよい。例えば、掻き取り工具を使用して高い係止角度を持つ表面を形成してもよい。可撓性タングは、図８ｂ及び図８ｃに示すように、重ねパネル１’の短縁部の上部分２１が可撓性タングの一部を下方に移動して水平方向タングロック５２及び水平方向溝ロック５３を外したとき、係止部分１９が変位溝内に係止した係止位置に向かってポンと外れる。可撓性部分、係止手段、及び解放手段の形状が異なる幾つかの変形例を使用し、可撓性タングの予備張力を発生できる。これは、タングを変位溝に対して係止するため、及び可撓性タングを解放し、その係止位置に向かってポンと外れるようにするためである。可撓性部分は、可撓性タングと同じ材料で形成されていてもよいし、タング又は変位溝に連結された別体の可撓性材料で形成されていてもよい。タングが本質的に一方向に変位するこの種の単スナップ作用では、水平方向分離力は、一般的には存在しない。重ね係止が完全には係止されていないときに予備張力が解放された場合には、分離の問題点が減少する。これは、ストリップパネルの係止エレメント８の一部が重ねパネルの係止溝１４内にあり、分離を阻止するためである。これを図８ｂに示す。
【００６７】
図９ａは、可撓性タングの一実施例を上方から見た図であり、図９ｂはパネル縁部から水平平面と平行に見た同じ実施例を示す。突出部５１は可撓性部分であり、水平方向及び垂直方向の両方向に延び、従って、可撓性タングを予備張力で係止するため、及び可撓性タングを最終係止位置に変位するため、可撓性タングをこれらの両方向に押圧する。
【００６８】
図９ｃ及び図９ｅは、上文中に説明したのと同じ方法で見た、第１の原理の第３の特徴の一実施例を示す。本質的に水平方向に延びる一つ又はそれ以上の突出部６０を持つ変位自在のタングを提供する。これらの突出部は、変位自在のタングを変位溝４０に固定された状態に保持する摩擦連結部３６を有する。変位自在のタング３１は、図９ｅに示すように、変位自在のタングのプレス縁部３２に側方への圧力Ｐが加わったとき、突出部に設けられた摩擦連結部を中心とした旋回移動で、係止部分１９が変位溝内にある状態から変位する。この旋回移動により、更に、変位自在のタングをタング溝２０内に変位する。側方への圧力により変位を生じるため、この他の幾つかの変形例を使用してもよい。変位自在のタングは、一つ又は幾つかの別体の楔状エレメントと組み合わせてもよい。これらの楔状エレメントは、タング又は別体のエレメントを側方に変位するとき、変位自在のタングをタング溝内に変位し、押し込むのに使用できる。この他の変形例は、輸送中にタングを変位溝内に保持する部分を持つ変位自在のタングであり、これらの部分は、側方への圧力が加えられたとき、タングから分離されるようになっている。勿論、図３ｂに示す周知の弓形形状タングを使用してもよい。側方への圧力によりタングが曲がり、突出部分Ｐ２がタングの長さ方向に対して垂直方向に変位する。係止部分をタング溝内に変位するため、側方への圧力を使用して垂直方向変位を行う全ての周知の原理を使用できる。本明細書中に示す全ての実施例は、以下の原理に基づく。即ち、
変位を行うため、中央点を中心とした旋回を使用するリンク原理、
二つの楔が互いに当たって摺動する楔原理、及び
部分を弓形形状形態に曲げる曲げ原理。
【００６９】
これらの三つの原理を組み合わせてもよく、変位自在のタングは、側方への圧力を垂直方向変位に変換するため、リンク原理、楔原理ポスト曲げ原理を使用する部分を備えていてもよい。これは、タングの部分を溝内に移動するため、及びフロアボードを垂直方向又は水平方向で係止するためである。
【００７０】
本発明のこの第３の特徴により、変位自在のタングの全ての部分を剛性に形成できるという利点が得られる。しかしながら、幾つかの実施例では、可撓性タング又は可撓性部分が好ましい。
【００７１】
図９ｆは、第１パネル１’’に連結された第２パネル１の長縁部５ｂのところでプレス縁部３２が露呈された実施例を示す。新たなパネル１’は、傾けによって第１パネル１’’の長縁部に連結され、第２パネル１及び新たなパネル１’の短縁部４ａ、４ｂが同じ平面内にあるように、下張り床に平らに設置される。次に、図９ｇに示すように、第３パネル１ａを第２パネル１及び新たなパネル１’の長縁部５ｂに傾けによって連結でき、プレス縁部３２を第２パネル１の短縁部に沿って、例えば第３パネル１ａのタング１０によって、内方に押圧できる。変位自在のタング３１は、次いで、短縁部に沿って新たなパネル１’のタング溝２０内に変位し、第２パネル１及び新たなパネル１’を水平方向で係止し、縁部が係止中に分離する危険をなくす。この設置方法及び係止システムを図１０ａ乃至図１０ｄを参照して更に詳細に説明する。図１０ａは、長縁部の傾け中、タング１０が縁部区分３２を短縁部に沿った方向にどのように押圧するのかを示す。図１０ｂは、変位自在のタングがその最終的な係止位置にある係止位置を示す。タングは、係止中、プレス縁部に対して大きな圧力を発生し、短縁部を、垂直方向で、互いに対してしっかりと係止できる。図１０ｃは、第２パネル１及び新たなパネル１’の短縁部を垂直方向で係止する前の第２パネル１及び新たなパネル１’の位置を示し、図１０ｄは、第３パネル１ａのタングによって、変位自在のタング３１をその最終的な係止位置まで変位した係止位置を示す。
【００７２】
設置中、設置者(installer) が、第３パネルの傾けによってでなく例えば工具によってプレス縁部に加えた圧力によりタングを変位できるということは明らかである。更に、設置中、変位自在のタングをパネルの縁部に連結できるということもまた明らかである。
【００７３】
本発明は、長縁部に傾け係止システムを備えており且つ短縁部に変位自在のタングを備えたフロアパネルの設置方法を含む。この方法は、
第２列Ｒ２の第２パネル１及び新たなパネル１’の短縁部が接触状態にあり、本質的に同じ平面内にあるように、第２パネル１及び新たなパネル１’の長縁部を第１列Ｒ１の第１パネル１’’の長縁部に連結する工程を含む。
【００７４】
第３列Ｒ３の第３パネル１ａを傾けによって第２パネル１及び新たなパネル１’の長縁部に連結し、これによって、第２パネル１及び新たなパネル１’の短縁部の変位自在のタングを変位し、これらの短縁部を垂直方向及び水平方向で係止する。
【００７５】
本発明は、長縁部に傾け係止システムを備えており且つ短縁部に可撓性タングを備えたフロアパネルを図１０ｄ及び図１０ｃに示すように分離する方法を含む。可撓性タング３０は可撓性であり、側方への圧力Ｐを解放したとき、例えば図１４ｆ、図１４ｇ、及び図１４ｈに示すように初期非係止位置に戻る。パネルの設置及び係止は、図１０ｄに示すように行われる。以下の工程を含むこの方法を図１０ｃを参照して説明する。
【００７６】
この方法は、
１．第３列Ｒ３の第３パネル１ａの長縁部５ａを第２列Ｒ２の第２パネル１及び新たなパネル１’の長縁部５ｂから外し、第３パネル１ａを下張り床から遠ざかるように傾けて起こすことによって、第２列Ｒ２の新たなパネル１’と第２パネル１との間で可撓性タング３０及び垂直方向係止システムを外す工程。
２．新たなパネル１’を傾けて起こすことによって、新たなパネル１’を第１列Ｒ１の第１パネル１’’の長縁部５ｂから、及び第２パネル１の短縁部４ａから外す。
【００７７】
リンク原理、楔原理、及び曲げ原理の三つの原理は全て、可逆的である。
【００７８】
図１１ａ乃至図１１ｄは、変位自在のタング及び可撓性タングの全ての実施例を、これらの実施例を重ねパネルの向き合った短縁部に別の態様で連結できるように調節できるということを示す例である。変位自在のタング３１は、図９ｆに示すように、第２ストリップパネル１に対して重ねた新たなパネル１’の変位溝に連結できるということが添付図面から明らかである。図１１ａは、ストリップ６の上部分に配置された係止溝１４’内に係止する下方に延びるプレス係止エレメント１８’がプレス延長部１７に設けられていてもよいということを示す。破線は、ストリップが比較的短くてもよいということを示す。
【００７９】
図１１ｅ、図１１ｆ、及び図１１ｇは、変位自在のタングの基本的原理及びその機能及び形状を、フロアパネルを本質的に水平方向の一回のスナップ作用で垂直方向で連結するのに使用できる一例である。この実施例は、可撓性係止エレメント６１を示す。この可撓性係止エレメントは、予備張力が加わった状態で溝に固定されており、一方のパネル縁部を他方のパネル縁部に対して水平方向に変位するときに解放される。垂直方向重ねについて示したのと同じ原理に従ってパネルを水平方向に連結し、連結解除する上で、上文中に説明したパネル係止原理及びパネル連結解除原理による全ての図示の実施例を使用できる。図示の可撓性タング又は変位自在のタングは、全て、係止溝１４内に水平方向にではなく垂直方向に変位できる可撓性又は変位自在の係止エレメント６１として使用できるということは明らかである。新たなパネルをこの原理に従って連結できる。新たなパネルを水平方向に変位し、第１列の第１パネルに係止する。これは、図１１ｅ及び図１１ｆに示すように、好ましくは、連結された長縁部に沿って、新たなパネル及び第２パネルの上縁部が接触し、タング１０が溝９内にあるまで行われる。変位自在の係止エレメント６１は、例えば、新たなパネル１’及び第２パネル１の長縁部に対して傾けた第３パネル１ａによって垂直方向に変位できる。第３パネル１ａを変位自在の係止エレメント６１のプレス延長部に押し付け、係止エレメント６１の一部を垂直方向に変位する。例えば、圧力が解放されたとき、係止エレメント６１を、その非係止位置にばね作用で戻すことができる。これにより、短縁部から遠ざかる方向に逆方向に水平方向に変位することによってパネルを解放できる。リンク原理、楔原理、及び曲げ原理に基づく垂直方向変位を使用して水平方向に係止できるということは明らかである。本発明のこの第３の原理は、第１原理と組み合わせることもできる。縁部は、変位自在のタング及び変位自在の係止エレメントを備えていてもよい。係止エレメント６１は、タング１０の下部分１０ｂに設けられていてもよいし、上部分１０ａに設けられていてもよく、係止溝１４はストリップ６の内部分に設けられていてもよいし上リップに設けられていてもよい。上リップ９ａの係止溝に設けられたこのようなアンダーカットは、例えば掻き取りによって形成できる。
【００８０】
従って、本発明は、第３の原理によれば、一組の本質的に同じフロアパネルを含み、これらのフロアパネルの各々は、第１及び第２のコネクタがフロアパネルと一体に設けられた、隣接した縁部を垂直方向及び水平方向で連結するように形成された一対の両縁部を含む。第１及び第２のコネクタの少なくとも一方が、パネルと一体化された、非係止位置で変位溝に連結された別体の係止エレメントを含む。別体の係止エレメントは、二つの隣接した縁部を垂直方向及び／又は水平方向に係止するため、内非係止位置から外係止位置まで水平方向又は垂直方向に一方向だけに変位するように形成されている。
【００８１】
このような実施例は設置を容易にする。これは、垂直方向又は水平方向スナップ作用を行うために係止エレメントを変位溝に押し込むために越えなければならない圧縮力がないためである。
【００８２】
本発明の全ての実施例は、長縁部及び／又は短縁部で、又はストリップパネル及び／又は溝パネルで使用できる。本発明は、隣接した縁部の両方にタングを設けることを除外せず、幾つかのタングを同じ縁部に側部と側部とを向き合わせて又は互いに上下に重ねて配置することを除外しない。本発明の第１及び第２の特徴による図示の係止システムは、例えばこれらのシステムを傾け及び／又はスナップ嵌めによって連結できるように形成できる。本発明の第３の特徴による係止システムは、長縁部の水平方向スナップ嵌めによって係止でき、これによって、長縁部の水平方向スナップ嵌め中に、例えば長縁部のタングを変位自在のタングのプレス縁部に押し付けることができる。全ての実施例は、上方への傾けによって連結解除を可能にする形状を備えていてもよい。パネルは、垂直でない縁部を備えていてもよく、四つ以上の縁部を備えていてもよく、例えば縁部の数は、五個、六個、八個、場合によっては最大十二個であってもよい。
【００８３】
図１２ａ乃至図１２ｄは、変位自在のタング３１の縁部区分を示す。図１２ａは、変位溝４０内に連結する前の変位自在のタングを示す。水平方向突出部６０は、この実施例では摩擦連結部３６を有し、変位自在のタングの長さ方向に対して約５０°乃至６０°の角度をなしている。図１２ｂは、変位溝４０へのタングの連結中の変位自在のタング３１の初期連結状態を示す。水平方向突出部６０は、例えば３５°乃至４０°の比較的小さな角度まで曲げられている。図１２ｃは、接合縁に沿った変位自在のタングの変位を示す。この変位により、変位自在のタングを長さ方向で短縁部に沿って正しい位置に、及びパネルの長縁部に関して所定の位置に変位できる。この変位により、プレス縁部３２を正しい位置に置き、製造許容差をなくす。高品質の係止を行うには、好ましくは許容差が１ｍｍ以下の高い精度で、変位自在のタング及びプレス縁部３２を位置決めすることが必要とされる。図１２ｄは、変位自在のタング３１を係止方向ＬＤに、変位自在のタング３１の長さ方向と平行に加えられた側方への圧力Ｐに対して垂直方向に変位させる方法を示す。水平方向突出部６０は、この位置では、約７０°乃至７５°の角度をとる。水平方向突出部６０は、本質的に、円Ｃに沿って曲がる。これは、係止方向へのプレス力Ｐが、プレス方向ＰＤでの係止力よりもかなり高いため、有利である。これにより強い垂直方向係止を発生し、パネルの短縁部が様々な方向に僅かに湾曲した場合でも、短縁部を同じ平面内で所定の位置に押圧する。図１２ｄは、プレス縁部３２が可撓性であり且つ曲げることができるということを示す。これは一つの利点であり、変位自在のタング及び係止システムの位置及び形状と関連した製造許容差をなくす。変位自在のタングは、予備張力が加わった状態でタング溝４０内に係止できる。
【００８４】
図１３ａ乃至図１３ｅは、非常に簡単な構成要素、好ましくは押出し又は型成形によって形成した、本質的に矩形の断面を持つプラスチック形材で形成された変位自在のタングの機能を示す。図１３ａは、連結前の第１パネル１’’及び第２パネル１を示す。図１３ｂは、第２パネル１の短縁部４ａの断面を示す。図１３ｃは、連結状態のパネルを示す。変位自在のタングは、変位溝４０内にある。図１３ｄは、新たなパネル１’（図１３ｃには示してない）を垂直方向上下に移動でき、新たなパネル１’及び第１パネル１’’の長縁部を上下に傾けるのを妨げる垂直方向連結がないことを示す。説明を簡単にする目的で、図１３ｅは新たなパネル１’なしで示してある。第３パネル１ａを第２パネル１に連結することにより、一つの縁部区分Ｅｓ１を第１パネル１’’の縁部に向かって押し、好ましくは、長縁部タング溝９の内部分に押し付け、別の縁部区分Ｅｓ２、この実施例ではプレス縁部３２を第３パネル１ａの縁部に押し付け、好ましくは長縁部タング１０に押し付ける。変位自在のタング３１は、水平平面内で長さ方向に曲がる。図１３ｆに示すように、一部がタング溝２０内に変位する。変位自在のタング３１は、第３パネル１ａを連結解除すると、図１３ｃに示す初期位置に戻り、縁部区分Ｅｓ１及びＥｓ２に作用する圧力が解放される。これにより、新たなパネル１’を、傾けて起こす作用によって連結解除できる。垂直方向重ねによる係止及び傾けて起こすことによる連結解除は、好ましくは、垂直平面ＶＰに沿って、新たなパネル及び第２パネルの上縁部が接触した状態で行われる。曲げ及び変位は、好ましくは、側方への圧力が加えられる区分Ｅｓ２とは反対側の縁部区分Ｅｓ１で顕著である。これにより、接合部の長さ方向での摩擦力が減少し、タング溝への垂直方向力が高くなるため、係止が更に強固に行われる。これは、曲げを縁部区分Ｅｓ２で開始でき、プレス区分Ｅｓ２に向かって徐々に増大するということを意味する。タングは、中央区分の主部がタング溝と平行であるように、係止位置を得ることができる。周知の技術と比較した主な利点は、係止の最終段階で、初期段階におけるよりもかなり大きな圧力が得られるということである。これは、縁部を強い予備張力で係止するのに使用できる。タングが内位置にある場合にタング圧力がその最大値にある周知の係止システムではこれとは逆である。図１３ｆに示すように、変位溝４０の下部分が、係止エレメントの上側よりも上方の平面内に形成されているのが有利である。
【００８５】
図１４ａ及び図１４ｂは、変位自在のタング３１が非係止位置で長さ方向に沿って水平方向に僅かに曲がっている場合に変位自在のタング３１の曲げを容易にできるということを示す。
【００８６】
図１４ｃは変位自在のタング３１を示す。これは、この場合には、長さ方向で曲げることができるため、可撓性タングでもある。輸送中及び設置中にタングを変位溝内に保持する少なくとも一つの摩擦連結部のところに、簡単な矩形断面を有する。タングは、長さがＬであり、幅がＷである。図１４ｄは、パネルの主平面と平行な水平平面内で水平方向に僅かに曲げられた変位自在のタング３１を示す。これは、曲げ及び変位を更に容易にする。図１４ｅは、摩擦連結部の代わりに、水平平面に対して垂直方向に僅かに曲げた変位自在のタングを使用できるということを示す。何らかの特殊な摩擦連結部や曲げ形態なしでタングを変位溝に連結できるということは明らかである。きつく嵌着するので十分である。接着剤は用いない。これらの実施例は全て、組み合わせることができる。タングは、例えば、垂直方向及び水平方向で僅かに曲げられているように製造できる。これらのタングは全て、好ましくは、プラスチック材料で、射出成形によって、押出しによって、又は単にシート状プラスチック材料の打ち抜きによって形成されていてもよい。
【００８７】
図１４ｆ、図１４ｇ、及び図１４ｈは、変位自在のタングを形成するための別の原理を示す。タングは、その長さＬに沿った中央区分Ｓ１の幅が縁部区分Ｅｓ１、ＥＳ２に近い部分よりも小さくなっている。これにより曲げが容易になる。図１４ｇ及び図１４ｈは、側方への圧力Ｐが加わったとき及びこの圧力が解放されたときの曲げを示す。
【００８８】
図１５ａ、図１５ｂ、及び図１５ｃは、可撓性縁部区分Ｅｓ１、ＥＳ２を持つ変位自在の可撓性タング３１の一実施例を示す。可撓性縁部区分Ｅｓ１、ＥＳ２により、タングの主部を変位でき、短縁部の長さの本質的に大部分に亘って垂直方向係止エレメント１９が設けられている。
【００８９】
図１５ｄ及び図１５ｅは、図１５ａ、図１５ｂ、及び図１５ｃによる可撓性縁部区分及び図１４ｂによる曲げを組み合わせることができるということを示す。
【００９０】
図１５ｆは、変位自在のタングを、側方への圧力を発生する工具によって変位できるということを示す。
【００９１】
図１６ａ乃至図１６ｄは、別体のタング又は任意の同様の緩いエレメントの連結を示す。変位自在のタング３１は、好ましくはタングの一方の縁部を連結するプッシャによって縁部の溝４０に連結される。図１６ｂは、圧力ホイールＰＷを使用して変位自在のタング３１を溝４０に連結できるということを示す。図１６ｄは、位置決めデバイスＰＤを使用してタングを長縁部に関して位置決めできるということを示す。これは、ラインで連続フローで行うことができる。
【００９２】
図１６ｅは、変位自在の又は可撓性のタング３１を、タングブランクＴＢから、例えば押出し形材から形成する方法を示す。押出しによって形成したタングブランクＴＢからタングを形成し、これらのタングを分離するため、押出し形材を打ち抜く。例えば打ち抜きや熱によって摩擦連結部を形成してもよい。
【００９３】
図１７ａ乃至図１７ｊは、本発明による可撓性で変位自在のタング３１の実施例を示す。図１７ａ及び図１７ｂは、幅Ｗの方向で互いから分離された二つの部分が中央区分に設けられた可撓性タング３０を示す。図１７ｃ、図１７ｄ、及び図１７ｅは、可撓性タング３０の長さＬに沿って幅Ｗが変化するタングを示す。
【００９４】
図１４ａ乃至図１４ｈ、図１５ａ乃至図１５ｅ、及び図１７ａ乃至図１７ｅは、全て、曲げ原理に基づく実施例の例である。
【００９５】
図１７ｆ及び図１７ｇは、側方への圧力Ｐが加えられたとき、幅Ｗ方向に互いから変位し、分離する、協働楔７０を持つ二つの部分３１ａ、３１ｂを含む変位自在のダブルタングを提供する楔原理を示す。
【００９６】
図１７ｈ、図１７ｉ、及び図１７ｊは、二つの部分３１ａ、３１ｂが連結されたダブルタングの縁部区分を示す。図１７ｈは、このようなダブルタングの製造方法及び図１７ｉに示すように連結した場合に互いに重ねる方法を示す。側方へ圧力Ｐが加わったとき、二つの部分を連結する連結部６２が曲がってもよく、膨張してもよく、圧縮されてもよく、又は一方の部分から分離してもよい。
【００９７】
図１８ａ、図１８ｂ、及び図１８ｃは、リンク原理による変位自在のタング３１の一実施例を示す。このタングは幾つかの垂直方向突出部６０を有し、これらの突出部は、溝４０へのタングの連結中（図１８ｂ参照）及び変位中（図１８ｃ参照）、中央点を中心として回転する。突出部は曲げることができ、永久的に回転させてあってもよいし、側方への圧力が解放されたとき、初期非係止位置に少なくとも部分的に戻ることができるように可撓性であってもよい。
【００９８】
図１８ｄは、本質的に矩形断面を持つ押出し形材のブランクＴＢを示す。このブランクは、図１８ｅに示すように、一つ又はそれ以上の摩擦連結部３６を含む。
【００９９】
図１８ｆ乃至図１８ｉに示す、リンク原理に基づく実施例は、一つ又は幾つかの水平方向突出部を持ち、摩擦連結部が設けられた比較的複雑な形態を打ち抜き及び／又は押出し形材製のブランクの形成によって得るための方法を示す。
【０１００】
図１８ｈ及び図１８ｉは、側方への圧力、及び水平方向突出部を持つタング又は湾曲するタングによる、タング溝内への水平方向変位を行うための原理を組み合わせることができるということを示す。図示のタング３１の変位は、部分的には、リンク原理による垂直方向突出部６０により、及び部分的には曲げ原理により変位がなされる弓形形状部分により行われる。
【０１０１】
図１乃至図５と関連して説明した周知の技術を、本発明の実施例と組み合わせることができる。例えば図５に示すように、垂直方向重ね中に可撓性タングの部分を変位溝に押し込むことができる。この部分は、後に、タング溝内にポンと戻る。その後、側方への圧力を加えることができ、本発明の原理に従って最終的な比較的強い係止が得られる。図示のように及び図１１ｅ、図１１ｆ、及び図１１ｇと関連して説明したように水平方向で係止する可撓性係止エレメントに関してこのような組み合わせを行ってもよい。
【０１０２】
図１９ａは、予備張力原理の一実施例を示す。この図では、可撓性タング３０の二つの部分が、予備張力が作用した状態で、互いにフック６３によって連結されている。図１９ｂは、フック６３によって予備張力を解放した場合のタング３１を示す。
【０１０３】
図１９ｃ、図１９ｄ、及び図１９ｅは、重ねパネル１’の縁部によって生ぜしめられた垂直方向圧力によってこのフックを解放でき、その結果、タング３０の部分がばね作用でタング溝に入るということを示す。
【０１０４】
図２０ａ及び図２０ｂは予備張力原理の一実施例を示す。ここでは、タング３０の内部分が可撓性であり、フック６３により予備張力が解放されたとき、剛性外部分をタング溝に押し込む。可撓性は、可撓性キャビティ７２によって得られる。
【０１０５】
図２０ｃは、射出成形により形成した可撓性タング３０を示す。ここでは、変位は予備張力原理に基づいて行われ、垂直方向重ね中、幾つかのフック６３が予備張力を徐々に解放する。タング３０の部分は、タング溝内に徐々に変位する。このような可撓性タングは、フック６３なしで、及び二回作用原理でフロアボードを係止するのに使用できるということは明らかである。この場合、タングの部分は、垂直方向重ねと関連した、図１乃至図４と関連して説明した周知の原理に従って変位溝内に徐々に変位し、タング溝内に再び戻る。内溝区分の実質的に剛性の部分７３を、変位溝に、強い摩擦で又は予備張力で永久的に連結できる。又は、別の態様では、溝に接着できる。タングは、幾つかの可撓性キャビティ区分７２を備えていてもよい。これらの区分は、片側又は両側が剛性部分７３に−一方が変位溝の内部分に及び一方が外部分に−連結され、これがタング溝内に係止する。
【０１０６】
更に、可撓性タングは、例えば、これらのタングを圧縮できるように、及び垂直方向重ね中に可撓性タングの一部を長さ方向で曲げる図１乃至図４を参照して説明した原理に従ってフロアボードを係止するのにこれらのタングを使用できるように、図１７ｂ、図１９ｂ、及び図２０ｂの実施例に従って形成されていてもよいということは明らかである。タング３０は、図２０ｂに示すように、可撓性内部分７２と、剛性外部分７３とを有し、垂直方向重ね中に可撓性部分７２が図２０ａに示す状態まで圧縮されるとき、タング溝内に係止する。タング３０は、勿論、このような可撓性区分７２をその長さに沿って幾つか備えていてもよい。これらの可撓性区分は、タングの長さ方向で曲げられ、そして圧縮される。このような原理を図２５ａ及び図２５ｂに示す。
【０１０７】
図２１ａは、楔原理による実施例を示す。この図では、溝４０内への変位中に楔部分７０を変位自在のタングから分離する。図２１ｂは、変位中に幾つかの部分が分離されるタング３１を示す。
【０１０８】
図２１ｃは、射出成形により形成した、幾つかの水平方向突出部６０を備えた、リンク原理によるタング３１を示す。タングの厚さ及び幅は長さに沿って変化している。
【０１０９】
図２１ｄは、曲げ原理に従って変位できる幾つかの弓形形状部分を含むタング３０を示す。
【０１１０】
図２２ａ及び図２２ｂは、タング３０が、例えば曲げ原理に従って形成された場合の、壁に近い最後の列を係止する方法を示す。タング３０の外部分を簡単な工具で側方に変位する。この方法は、第１列にも使用できる。変形例では、タングを変位するため、ニードル状工具を変位溝に挿入してもよい。一方の縁部の摩擦連結部等を使用して第１列を全ての他のパネルについて行われたのと同じ方法で係止する。楔原理及びリンク原理による実施例の多くは、第１列で、他の列について行われたのと同じ方法で変位できる。
【０１１１】
図２３ａ、図２３ｂ、及び図２３ｃは、互いに重ねられた二つの部分３１ａ、３１ｂを含む楔原理による実施例を示す。これらの部分３１ａ、３１ｂは、一つ又は幾つかの楔フック７７で一つの構成要素に連結されている。変位、製造許容差、及び圧力は、湾曲した及び／又は可撓性の楔７０ａ、７０ｂ、及び係止部分７８ａ、７８ｂによって非常に正確に制御できる。係止部分７８ａ、７８ｂは、接合部に沿って係止し、タング溝内に制御下で容易に変位するように互いに協働する。好ましくは射出成形により、複雑な、先進の、及び対費用効果に優れた特徴を得ることができる。好ましい実施例では、二つの部分は同じ金型で製造される。
【０１１２】
図示の実施例は単なる例である。図示の実施例及び一般的に周知の原理の組み合わせにより、「限定のない」数の変形例を提供できる。
【０１１３】
図２４ａ乃至図２４ｄは、この場合に木製フローリングであるフロアボードの係止を示す。変位は、曲げ原理に従って行われる。タング３０は、この実施例では、長縁部タング溝９の外側に僅かに突出するようにフロアボードに固定されている。可撓性タング３０がタング溝１０の内部分と接触するとき、図２４ｂに示すように、接合部に沿って変位する。第３パネル１ａは傾けによって連結され、そのタング１０は可撓性タング３０のプレス縁部３２に押し付けられる。図２４ｄは、タング３１の一方の縁部区分Ｅｓ１が第１パネル１’’の長縁部タング溝９の内部分と接触し、他方の縁部区分Ｅｓ２が第３パネル１ａのタング１０の先端と接触した状態でタング３１を圧縮する方法を示す。曲げ原理により、フローリングを両方向で、長縁部タング部分をストリップ上に、又は長縁部ストリップをタングの下に設置できる。約０．５ｍｍの圧縮により、タングを約２ｍｍ曲げることになる。可撓性タング３０についての製造許容差が０．１ｍｍの数倍程度である場合、フロアボード１、タング１０、及び溝９の機械加工について高品質の係止を得ることができる。これは、主として、ファイバの圧縮のためであり、及び接合部に沿った圧力及び変位が増大する場合に弓形形状形態が直線状に変化するためである。
【０１１４】
図２５ａは、垂直方向重ね中にタングを縁部によって内方に変位する場合の周知の原理による、垂直方向重ねによってフロアボードを係止するのに使用できる可撓性タングの新たな実施例を示す。変位は、圧縮及び曲げが可能な可撓性キャビティ７２によって生じる。図２５ａは、可撓性タング３０の外係止位置を示し、図２５ｂは、内圧縮非係止位置を示す。タングは、この実施例では、可撓性部分７２が初期位置に向かってポンと戻るとき、タング溝内に係止する剛性外方部分７３を有する。勿論、可撓性タング３０には、タングの長さ方向で曲がったり圧縮したりするこのような可撓性キャビティ区分７２が、その長さに沿って、幾つか設けられている。
【０１１５】
図２６ａは、側方への圧力が加わったときにタングが接合部に沿って変位しないようにするため、変位自在のタングを位置決めし固定するのに使用できる実施例を示す。この実施例により、第１列の同様のパネルをタングの曲げによって係止できる。変位自在のタングは、例えば長縁部タング溝９の内部分に係止する側フック７９を有する。この側フックは、延長部８０を介して、プレス縁部３２とは反対側のタングの縁部区分Ｅｓ１に連結されている。この側フック７９は、タング３０及びプレス縁部３２を長縁部に当たった正しい位置に位置決めするのにも使用される。図２６ｂは、側方への圧力Ｐが加わったときの曲げを示す。側フック及び位置決めエレメントは、上述の摩擦連結部に対する変形例として、両長縁部に適用できる。側フックは、例えば、長縁部の係止溝に適用してもよい。
【０１１６】
図２６ｃは、縁部に沿った変位を阻止する摩擦連結部３６を持つ実施例を示す。タングの部分を縁部に接着してもよい。プレス縁部は、長縁部の溝に沿って延びる固定突出部８１を有する。この突出部は、ラメラ間の空間を覆うため、及びタング部分が常にプレス縁部に押し付けられるようにするため、例えば、ラメラコアを持つ木製フロアで使用できる。
【０１１７】
楔原理によるタングの変位は、一つ又は幾つかの部分が楔状に形成された変位溝によっても行われる。このことは、変位溝の深さ及び／又は厚さが縁部の長さに沿って変化するということを意味する。
【符号の説明】
【０１１８】
１  第２パネル
１’  新たなパネル
１’’  第１パネル
４ａ  短縁部接合縁
４ｂ  短縁部
５ａ、５ｂ  長縁部
６  係止ストリップ
８  係止エレメント
１１  プレス係止溝
１４  係止溝
１５  ニージョイント
１６  係止延長部
１７  下プレス延長部
１８  プレス係止エレメント
１９  係止部分
２０  タング溝
２１  接合縁
３０  可撓性タング
３１  可撓性タング
４０  変位溝
４１  接合縁
６０  突出部
【図１ａ−１ｄ】
0005399261.tif 000002
【図２ａ−２ｂ】
0005399261.tif 000003
【図３ａ−３ｂ】
0005399261.tif 000004
【図４】
0005399261.tif 000005
【図５ａ】
0005399261.tif 000006
【図５ｂ】
0005399261.tif 000007
【図５ｃ】
0005399261.tif 000008
【図５ｄ】
0005399261.tif 000009
【図６ａ】
0005399261.tif 000010
【図６ｂ】
0005399261.tif 000011
【図６ｃ】
0005399261.tif 000012
【図６ｄ】
0005399261.tif 000013
【図７ａ】
0005399261.tif 000014
【図７ｂ】
0005399261.tif 000015
【図７ｃ】
0005399261.tif 000016
【図８ａ】
0005399261.tif 000017
【図８ｂ】
0005399261.tif 000018
【図８ｃ】
0005399261.tif 000019
【図８ｄ】
0005399261.tif 000020
【図９ａ】
0005399261.tif 000021
【図９ｂ】
0005399261.tif 000022
【図９ｃ−９ｅ】
0005399261.tif 000023
【図９ｆ】
0005399261.tif 000024
【図９ｇ】
0005399261.tif 000025
【図１０ａ】
0005399261.tif 000026
【図１０ｂ−１０ｃ】
0005399261.tif 000027
【図１０ｄ】
0005399261.tif 000028
【図１１ａ】
0005399261.tif 000029
【図１１ｂ】
0005399261.tif 000030
【図１１ｃ】
0005399261.tif 000031
【図１１ｄ】
0005399261.tif 000032
【図１１ｅ】
0005399261.tif 000033
【図１１ｆ】
0005399261.tif 000034
【図１１ｇ】
0005399261.tif 000035
【図１２ａ】
0005399261.tif 000036
【図１２ｂ】
0005399261.tif 000037
【図１２ｃ】
0005399261.tif 000038
【図１２ｄ】
0005399261.tif 000039
【図１３ａ−１３ｂ】
0005399261.tif 000040
【図１３ｃ−１３ｄ】
0005399261.tif 000041
【図１３ｅ−１３ｆ】
0005399261.tif 000042
【図１４ａ】
0005399261.tif 000043
【図１４ｂ】
0005399261.tif 000044
【図１４ｃ】
0005399261.tif 000045
【図１４ｄ】
0005399261.tif 000046
【図１４ｅ】
0005399261.tif 000047
【図１４ｆ】
0005399261.tif 000048
【図１４ｇ】
0005399261.tif 000049
【図１４ｈ】
0005399261.tif 000050
【図１５ａ】
0005399261.tif 000051
【図１５ｂ】
0005399261.tif 000052
【図１５ｃ】
0005399261.tif 000053
【図１５ｄ】
0005399261.tif 000054
【図１５ｅ】
0005399261.tif 000055
【図１５ｆ】
0005399261.tif 000056
【図１６ａ】
0005399261.tif 000057
【図１６ｂ】
0005399261.tif 000058
【図１６ｃ】
0005399261.tif 000059
【図１６ｄ】
0005399261.tif 000060
【図１６ｅ】
0005399261.tif 000061
【図１７ａ】
0005399261.tif 000062
【図１７ｂ】
0005399261.tif 000063
【図１７ｃ】
0005399261.tif 000064
【図１７ｄ】
0005399261.tif 000065
【図１７ｅ】
0005399261.tif 000066
【図１７ｆ】
0005399261.tif 000067
【図１７ｇ】
0005399261.tif 000068
【図１７ｈ】
0005399261.tif 000069
【図１７ｉ】
0005399261.tif 000070
【図１７ｊ】
0005399261.tif 000071
【図１８ａ】
0005399261.tif 000072
【図１８ｂ】
0005399261.tif 000073
【図１８ｃ】
0005399261.tif 000074
【図１８ｄ】
0005399261.tif 000075
【図１８ｅ】
0005399261.tif 000076
【図１８ｆ】
0005399261.tif 000077
【図１８ｇ】
0005399261.tif 000078
【図１８ｈ】
0005399261.tif 000079
【図１８ｉ】
0005399261.tif 000080
【図１９ａ】
0005399261.tif 000081
【図１９ｂ】
0005399261.tif 000082
【図１９ｃ】
0005399261.tif 000083
【図１９ｄ】
0005399261.tif 000084
【図１９ｅ】
0005399261.tif 000085
【図２０ａ】
0005399261.tif 000086
【図２０ｂ】
0005399261.tif 000087
【図２０ｃ】
0005399261.tif 000088
【図２１ａ】
0005399261.tif 000089
【図２１ｂ】
0005399261.tif 000090
【図２１ｃ】
0005399261.tif 000091
【図２１ｄ】
0005399261.tif 000092
【図２２ａ】
0005399261.tif 000093
【図２２ｂ】
0005399261.tif 000094
【図２３ａ】
0005399261.tif 000095
【図２３ｂ】
0005399261.tif 000096
【図２３ｃ】
0005399261.tif 000097
【図２４ａ】
0005399261.tif 000098
【図２４ｂ】
0005399261.tif 000099
【図２４ｃ】
0005399261.tif 000100
【図２４ｄ】
0005399261.tif 000101
【図２５ａ】
0005399261.tif 000102
【図２５ｂ】
0005399261.tif 000103
【図２６ａ】
0005399261.tif 000104
【図２６ｂ】
0005399261.tif 000105
【図２６ｃ】
0005399261.tif 000106